(57)【特許請求の範囲】
【請求項１】
撮影光学系から入射される被写体光に応じて、被写体像に関する画像信号を生成する撮像部と、
表示部と、
前記撮像部で順次に生成される画像信号に基づいて、前記表示部において本撮影前のプレビュー表示を行う電子ファインダ手段と、
ファインダ窓を有する光学ファインダ手段と、
前記被写体光を前記ファインダ窓に導く第１の光路と、前記被写体光を前記撮像部に導く第２の光路との切替を行う光路切替手段と、
前記光路切替手段により前記第１の光路を選択して前記被写体光を前記ファインダ窓に導く光学ファインダモード、又は前記光路切替手段により前記第２の光路を選択して前記プレビュー表示を行わせるプレビュー表示モードを選択させるモード選択手段と、
前記ファインダ窓への接眼を検知する接眼検知手段と、
前記接眼検知手段で接眼が検知されていない場合に前記光学ファインダモードから前記プレビュー表示モードに遷移させる設定を有効化させるか否かを選択させる有効化手段と、
前記選択手段で光学ファインダモードが選択されており、前記有効化手段で有効化されていない場合及び前記有効化手段で有効化されていて前記接眼検知手段で接眼が検知される場合、並びに前記選択手段でプレビュー表示モードが選択されており前記接眼検知手段で接眼が検知される場合、前記光学ファインダモードにするよう制御し、前記選択手段で光学ファインダモードが選択されており前記有効化手段で有効化されていて前記接眼検知手段で接眼が検知されていない場合、及び前記選択手段でプレビュー表示モードが選択されており前記接眼検知手段で接眼が検知されていない場合、前記プレビュー表示モードにするよう制御する制御手段と
を有する撮像装置。
【請求項２】
前記第２の光路に沿って前記撮像部に導かれる被写体光の光路開口及び光路遮断動作を行うシャッター部をさらに有し、
前記制御部は、
前記光学ファインダモードの場合に前記シャッター部により光路を遮断させ、前記プレビュー表示モードの場合に前記シャッター部を開口させる
請求項１に記載の撮像装置。
【発明の詳細な説明】
【技術分野】
【０００１】
本発明は、光学ファインダ機能と電子ファインダ機能とを備えた撮像装置に関する。
【背景技術】
【０００２】
一眼レフレックスタイプ(以下では「一眼レフタイプ」とも略称する)のデジタルカメラでは、被写体の確認は一般に光学ファインダで行われるが、被写体を動画的態様にてモニタに表示する電子ファインダ機能を有するものが提案されている（特許文献１）。
【０００３】
このようなカメラにおいては、撮影者は、光学ファインダ、または電子ファインダのいずれかを選択して構図決め操作（フレーミング）を行うことができる。
【０００４】
【特許文献１】特開２００１−２２２０５９号公報
【発明の開示】
【発明が解決しようとする課題】
【０００５】
しかしながら、光学ファンダと電子ファインダとの使用切替は、カメラに備えられた操作ボタンを押下する等の手動操作によって行われていた。このため、撮影者は、シャッターチャンスが訪れたときに、瞬時に所望のファインダに切り替えて撮影することが困難になっていた。
【０００６】
そこで、本発明は、光学ファンダと電子ファインダとの使用切替を簡単に行うことが可能な撮像装置を提供することを目的とする。
【課題を解決するための手段】
【０００７】
本発明は、撮像装置であって撮影光学系から入射される被写体光に応じて、被写体像に関する画像信号を生成する撮像部と、表示部と、撮像部で順次に生成される画像信号に基づいて、表示部において本撮影前のプレビュー表示を行う電子ファインダ手段と、ファインダ窓を有する光学ファインダ手段と、被写体光をファインダ窓に導く第１の光路と、被写体光を撮像部に導く第２の光路との切替を行う光路切替手段と、光路切替手段により第１の光路を選択して被写体光をファインダ窓に導く光学ファインダモード、または光路切替手段により第２の光路を選択してプレビュー表示を行わせるプレビュー表示モードを選択させるモード選択手段と、ファインダ窓への接眼を検知する接眼検知手段と、接眼検知手段で接眼が検知されていない場合に光学ファインダモードからプレビュー表示モードに遷移させる設定を有効化させるか否かを選択させる有効化手段と、選択手段で光学ファインダモードが選択されており、有効化手段で有効化されていない場合及び有効化手段で有効化されていて接眼検知手段で接眼が検知される場合、並びに選択手段でプレビュー表示モードが選択されており接眼検知手段で接眼が検知される場合、光学ファインダモードにするよう制御し、選択手段で光学ファインダモードが選択されており有効化手段で有効化されていて接眼検知手段で接眼が検知されていない場合、及び選択手段でプレビュー表示モードが選択されており接眼検知手段で接眼が検知されていない場合、プレビュー表示モードにするよう制御する制御手段とを有する。
【発明の効果】
【０００８】
本発明によれば、選択手段で光学ファインダモードが選択されており有効化手段で有効化されていない場合及び有効化手段で有効化されていて接眼検知手段で接眼が検知される場合、及び選択手段でプレビュー表示モードが選択されており接眼検知手段で接眼が検知される場合、光学ファインダモードにし、選択手段で光学ファインダモードが選択されており有効化手段で有効化されていて接眼検知手段で接眼が検知されていない場合、及び選択手段でプレビュー表示モードが選択されており接眼検知手段で接眼が検知されていない場合、プレビュー表示モードにする。このため、電子ファインダと光学ファインダとの使用切換を簡単に行うことが可能となる。
【発明を実施するための最良の形態】
【０００９】
＜実施形態＞
＜撮像装置１の外観構成＞
図１および図２は、本発明の実施形態に係る撮像装置１の外観構成を示す図である。ここで、図１および図２は、それぞれ正面図および背面図を示している。
【００１０】
撮像装置１は、例えば一眼レフレックスタイプのデジタルスチルカメラとして構成されており、カメラボディ１０と、カメラボディ１０に着脱自在な撮影レンズとしての交換レンズ２とを備えている。
【００１１】
具体的には、図１に示されるように、カメラボディ１０の正面側には、正面略中央に交換レンズ２が装着されるマウント部３０１と、マウント部３０１の右横に配置されたレンズ交換ボタン３０２と、把持可能とするためのグリップ部３０３と、正面左上部に配置されたモード設定ダイアル３０５と、正面右上部に配置された制御値設定ダイアル３０６と、グリップ部３０３の上面に配置されたシャッターボタン３０７とが設けられている。
【００１２】
交換レンズ２は、被写体からの光（被写体光）を取り込むレンズ窓として機能するとともに、当該被写体光をカメラボディ１０の内部に配置されている撮像素子１０１に導くための撮影光学系として機能する。
【００１３】
より詳細には、交換レンズ２は、光軸ＬＴに沿って直列的に配置された複数のレンズからなるレンズ群２１を備えている(図５参照)。このレンズ群２１には、焦点の調節を行うためのフォーカスレンズ２１１(図５)と、変倍を行うためのズームレンズ２１２(図５)とが含まれており、それぞれ光軸ＬＴ(図３参照)方向に駆動されることで、焦点調節または変倍が行われる。また、交換レンズ２には、その鏡胴の外周適所に該鏡胴の外周面に沿って回転可能な操作環が備えられており、上記のズームレンズ２１２は、マニュアル操作或いはオート操作により、上記操作環の回転方向および回転量に応じて光軸方向に移動し、その移動先の位置に応じたズーム倍率(撮影倍率)に設定されるようになっている。
【００１４】
マウント部３０１には、装着された交換レンズ２との電気的接続を行うためコネクタＥｃ(図５参照)、および機械的接続を行うためのカプラ７５(図５)が設けられている。
【００１５】
レンズ交換ボタン３０２は、マウント部３０１に装着された交換レンズ２を取り外す際に押下されるボタンである。
【００１６】
グリップ部３０３は、撮影者（ユーザ）が撮影時に撮像装置１を把持する部分であり、フィッティング性を高めるために指形状に合わせた表面凹凸が設けられている。なお、グリップ部３０３の内部には電池収納室およびカード収納室(不図示)が設けられている。電池収納室には撮像装置１の電源として電池６９Ｂ(図５参照)が収納されており、カード収納室には撮影画像の画像データを記録するためのメモリカード６７(図５)が着脱可能に収納されるようになっている。なお、グリップ部３０３には、当該グリップ部３０３をユーザが把持したか否かを検出するためのグリップセンサを設けるようにしても良い。
【００１７】
モード設定ダイアル３０５および制御値設定ダイアル３０６は、カメラボディ１０の上面と略平行な面内で回転可能な略円盤状の部材からなる。モード設定ダイヤル３０５は、撮像装置１に搭載された各種モード（各種撮影モード（人物撮影モード、風景撮影モードおよびフルオート撮影モード等）、撮影した画像を再生する再生モードおよび外部機器との間でデータ交信を行う通信モード等）の選択を行うためのものである。一方、制御値設定ダイアル３０６は、撮像装置１に搭載された各種の機能に対する制御値を設定するためのものである。
【００１８】
シャッターボタン３０７は、途中まで押し込んだ「半押し状態」と、さらに押し込んだ「全押し状態」とを検出可能な押下スイッチである。撮影モードにおいてシャッターボタン３０７が半押し（Ｓ１）されると、被写体の静止画を撮影するための準備動作（露出制御値の設定および焦点検出等の準備動作）が実行され、シャッターボタン３０７が全押し（Ｓ２）されると、撮影動作（撮像素子１０１(図３参照)を露光し、その露光によって得られた画像信号に所定の画像処理を施してメモリカード６７等に記録する一連の動作）が実行される。
【００１９】
また、図２に示されるように、カメラボディ１０の背面側には、表示部として機能するＬＣＤ（Liquid Crystal Display）３１１と、ＬＣＤ３１１の上方に配設されたファインダ窓３１６と、ファインダ窓３１６の下部に設けられた接眼検知センサ３２０と、ファインダ窓３１６の周囲を囲むアイカップ３２１と、ファインダ窓３１６の左方に配設されたメインスイッチ３１７と、ファインダ窓３１６の右方に配設された露出補正ボタン３２３およびＡＥロックボタン３２４と、ファインダ窓３１６の上方に配設されたフラッシュ部３１８および接続端子部３１９とが備えられている。また、カメラボディ１０の背面側には、ＬＣＤ３１１の左方に配置された設定ボタン群３１２と、ＬＣＤ３１１の右方に配置された方向選択キー３１４と、方向選択キー３１４の中央に配置されたプッシュボタン３１５と、方向選択キー３１４の右下方に配置された表示切替スイッチ８５とが備えられている。
【００２０】
ＬＣＤ３１１は、画像表示が可能なカラー液晶パネルを備えており、撮像素子１０１(図３参照)により撮像された画像の表示または記録済みの画像の再生表示等を行うとともに、撮像装置１に搭載される機能またはモードの設定画面を表示するものである。なお、ＬＣＤ３１１に代えて、有機ＥＬ表示装置またはプラズマ表示装置を用いるようにしても良い。
【００２１】
ファインダ窓（接眼窓）３１６は、光学ファインダ（ＯＶＦ）を構成し、ファインダ窓３１６には、交換レンズ２を通過した被写体像を形成する光（被写体光）が導かれている。ユーザは、このファインダ窓３１６を覗くことによって、実際に撮像素子１０１にて撮影される被写体像を視認することができる。
【００２２】
接眼検知センサ３２０は、近接物体の有無を検知するセンサであり、ユーザによる光学ファインダ使用の有無を検知して、接眼検知の有無に応じた信号を出力する。
【００２３】
メインスイッチ３１７は、左右にスライドする２接点のスライドスイッチからなり、左にセットすると撮像装置１の電源がオンされ、右にセットすると電源がオフされる。
【００２４】
フラッシュ部３１８は、ポップアップ式の内蔵フラッシュとして構成されている。一方、外部フラッシュ等をカメラボディ１０に取り付ける場合には、接続端子部３１９を使用して接続する。
【００２５】
アイカップ３２１は、ファインダ窓３１６への外光の侵入を抑制する「コ」字状の遮光部材である。
【００２６】
露出補正ボタン３２３は、露出値（絞り値およびシャッタースピード）を手動で調整するためのボタンであり、ＡＥロックボタン３２４は、露出を固定するためのボタンである。
【００２７】
設定ボタン群３１２は、撮像装置１に搭載された各種の機能に対する操作を行うボタンである。この設定ボタン群３１２には、例えばメニュー画面をＬＣＤ３１１に表示させるメニューボタン、メニュー画面の内容を切り替えるメニュー切替ボタンなどが含まれる。
【００２８】
方向選択キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、方向選択キー３１４の中央に配置されている。方向選択キー３１４およびプッシュボタン３１５は、撮影倍率の変更（ズームレンズ２１２(図５参照)のワイド方向またはテレ方向への移動）、ＬＣＤ３１１等に再生する記録画像のコマ送り、および撮影条件（絞り値、シャッタースピード、フラッシュ発光の有無等）の設定等の指示を入力するためのものである。
【００２９】
表示切替スイッチ８５は、２点のスライドスイッチからなり、接点を上段の「光学」位置に設定すると光学ファインダモード（「ＯＶＦモード」とも称する）が選択され、光学ファインダ視野内に被写体像が表示される。これにより、ユーザは、ファインダ窓３１６を介して光学ファインダ視野内に表示される被写体像を視認することによって、構図決め操作（「フレーミング」とも称する）を行うことが可能になる。
【００３０】
一方、表示切替スイッチ８５の接点を下段の「モニタ」位置に設定すると電子ファインダモード（「ＥＶＦモード」または「ライブビューモード」とも称する）が選択され、ＬＣＤ３１１において被写体像に係るライブビュー画像が動画的態様にて表示される。これにより、ユーザは、ＬＣＤ３１１に表示されるライブビュー画像を視認することによって、フレーミングを行うことが可能になる。
【００３１】
このように、撮像装置１では、ライブビュー表示が行われる電子ファインダ、または光学ファインダを選択して被写体の構図決めを行うことが可能である。なお、ＥＶＦモードとＯＶＦモードとの切替えは、図２に示す表示切替スイッチ８５の操作またはファインダ窓３１６への接眼検知によって行われる。
【００３２】
＜撮像装置１の内部構成＞
次に、撮像装置１の内部構成について説明する。図３および図４は、撮像装置１の縦断面図である。図３に示すように、カメラボディ１０の内部には、撮像素子１０１、ファインダ部１０２（ファインダ光学系）、ミラー部１０３、位相差ＡＦモジュール１０７等が備えられている。
【００３３】
撮像素子１０１は、カメラボディ１０に交換レンズ２が装着された場合の当該交換レンズ２が備えているレンズ群２１の光軸ＬＴ上において、光軸ＬＴに対して垂直に配置されている。撮像素子１０１としては、例えばフォトダイオードを有して構成される複数の画素がマトリクス状に２次元配置されたＣＭＯＳカラーエリアセンサ（ＣＭＯＳ型の撮像素子）が用いられる。撮像素子１０１は、交換レンズ２を通って結像された被写体像に関するＲ（赤）、Ｇ（緑）、Ｂ（青）各色成分のアナログの電気信号（画像信号）を生成し、Ｒ、Ｇ、Ｂ各色の画像信号として出力する。
【００３４】
上記の光軸ＬＴ上において、被写体光をファインダ部１０２へ向けて反射される位置には、ミラー部１０３が配置されている。交換レンズ２を通過した被写体光は、ミラー部１０３（後述の主ミラー１０３１）によって上方へ反射されるとともに、被写体光の一部はこのミラー部１０３を透過する。
【００３５】
ファインダ部１０２は、ペンタプリズム１０５、接眼レンズ１０６およびファインダ窓３１６を備えている。ペンタプリズム１０５は、断面５角形を呈し、その下面から入射された被写体像を内部での反射によって当該光像の天地左右を入れ替えて正立像にするためのプリズムである。接眼レンズ１０６は、ペンタプリズム１０５により正立像にされた被写体像をファインダ窓３１６の外側に導く。このような構成により、ファインダ部１０２は、本撮影前の撮影待機時において被写界を確認するための光学ファインダとして機能する。
【００３６】
ミラー部１０３は、主ミラー１０３１およびサブミラー１０３２から構成されており、主ミラー１０３１の背面側において、サブミラー１０３２が主ミラー１０３１の背面に向けて倒れるように回動可能に設けられている。主ミラー１０３１を透過した被写体光の一部はサブミラー１０３２によって反射され、この反射された被写体光は位相差ＡＦモジュール１０７に入射される。
【００３７】
上記のミラー部１０３は、所謂クイックリターンミラーとして構成されており、例えば露光時(本撮影時)には（図４参照）、回転軸１０３３を支点として上方に向けて跳ね上がり、被写体光の光路から退避した状態（ミラーアップ状態）となる。この際、サブミラー１０３２は、上記のミラー部１０３がペンタプリズム１０５の下方位置で停止したときには、主ミラー１０３１と略平行となるように折り畳まれた状態となる。これにより、交換レンズ２からの被写体光がミラー部１０３によって遮られることなく撮像素子１０１上に届き、該撮影素子１０１が露光される。撮像素子１０１での撮像動作が終了すると、ミラー部１０３は元の位置（図３に示す位置）に復帰し、ミラーダウン状態となる。
【００３８】
また、ミラー部１０３を本撮影(画像記録用の撮影)の前にミラーアップ状態にすることにより、撮像装置１は、撮像素子１０１で順次に生成される画像信号に基づき、動画的態様にて被写体をＬＣＤ３１１に表示させるライブビュー(プレビュー)表示が可能となる。
【００３９】
位相差ＡＦモジュール１０７は、被写体のピント情報を検出する測距素子等からなる所謂ＡＦセンサとして構成されている。この位相差ＡＦモジュール１０７は、ミラー部１０３の底部に配設されており、位相差検出方式の焦点検出(以下では「位相差ＡＦ」ともいう)により合焦位置を検出する。すなわち、撮影待機時においてユーザがファインダ窓３１６で被写体を確認する場合には、図３に示すように主ミラー１０３１およびサブミラー１０３２がダウンされた状態で位相差ＡＦモジュール１０７に被写体光が導かれるとともに、位相差ＡＦモジュール１０７からの出力に基づき交換レンズ２内のフォーカスレンズ２１１が駆動されてピント合わせが行われる。
【００４０】
撮像素子１０１の光軸方向前方には、シャッターユニット４０が配置されている。このシャッターユニット４０は、上下方向に移動する幕体を備え、光軸ＬＴに沿って撮像素子１０１に導かれる被写体光の光路開口動作および光路遮断動作を行うメカニカルフォーカルプレーンシャッターとして構成されている。なお、シャッターユニット４０は、撮像素子１０１が完全電子シャッター可能な撮像素子である場合には省略可能である。
【００４１】
＜撮像装置１の電気的構成＞
図５は、撮像装置１の電気的な構成を示すブロック図である。ここで、図１〜図４と同一の部材等については、同一の符号を付している。なお、説明の便宜上、交換レンズ２の電気的構成について先ず説明する。
【００４２】
交換レンズ２は、上述した撮影光学系を構成するレンズ群２１に加え、レンズ駆動機構２４と、レンズ位置検出部２５と、レンズ制御部２６と、絞り駆動機構２７とを備えている。
【００４３】
レンズ群２１では、フォーカスレンズ２１１およびズームレンズ２１２と、撮像素子１０１へ入射される光量を調節するための絞り２３とが、鏡胴内において光軸ＬＴ(図３)方向に保持されており、レンズ群２１によって取り込まれた被写体光が撮像素子１０１に結像される。ＡＦ制御では、フォーカスレンズ２１１が交換レンズ２内のＡＦアクチュエータ７１Ｍにより光軸ＬＴ方向に駆動されることで焦点調節が行われる。
【００４４】
フォーカス駆動制御部７１Ａは、レンズ制御部２６を介してメイン制御部６２から与えられるＡＦ制御信号に基づき、フォーカスレンズ２１１を合焦位置に移動させるために必要な駆動制御信号を生成し、当該駆動制御信号を用いてＡＦアクチュエータ７１Ｍを制御する。ＡＦアクチュエータ７１Ｍは、ステッピングモータ等からなり、レンズ駆動機構２４にレンズ駆動力を与える。
【００４５】
レンズ駆動機構２４は、例えばヘリコイドおよび該ヘリコイドを回転させる図示省略のギア等で構成され、ＡＦアクチュエータ７１Ｍからの駆動力を受けて、フォーカスレンズ２１１等を光軸ＬＴと平行な方向に駆動させるものである。なお、フォーカスレンズ２１１の移動方向および移動量は、それぞれＡＦアクチュエータ７１Ｍの回転方向および回転数に従う。
【００４６】
レンズ位置検出部２５は、レンズ群２１の移動範囲内において光軸ＬＴ方向に複数個のコードパターンが所定ピッチで形成されたエンコード板と、このエンコード板に摺接しながらレンズと一体的に移動するエンコーダブラシとを備えており、レンズ群２１の焦点調節時の移動量を検出する。なお、レンズ位置検出部２４で検出されたレンズ位置は、例えばパルス数として出力される。
【００４７】
レンズ制御部２６は、例えば制御プログラムを記憶するＲＯＭまたは状態情報に関するデータを記憶するフラッシュメモリ等のメモリが内蔵されたマイクロコンピュータからなっている。
【００４８】
また、レンズ制御部２６は、コネクタＥｃを介してカメラボディ１０のメイン制御部６２との間で通信を行う通信機能を有している。これにより、例えばレンズ群２１の焦点距離、絞り値、合焦距離または周辺光量状態等の状態情報データ、およびレンズ位置検出部２５で検出されるフォーカスレンズ２１１の位置情報をメイン制御部６２に送信できるとともに、メイン制御部６２から例えばフォーカスレンズ２１１の駆動量のデータを受信できる。
【００４９】
絞り駆動機構２７は、カプラ７５を介して絞り駆動アクチュエータ７６Ｍからの駆動力を受けて、絞り２３の絞り径を変更するものである。
【００５０】
続いて、カメラボディ１０の電気的構成について説明する。カメラボディ１０は、上述の撮像素子１０１、シャッターユニット４０等の他に、ＡＦＥ（アナログフロントエンド）５、画像処理部６１、画像メモリ６１４、メイン制御部６２、フラッシュ回路６３、操作部６４、ＶＲＡＭ６５、カードＩ／Ｆ６６、メモリカード６７、通信用Ｉ／Ｆ６８、電源回路６９、電池６９Ｂ、ミラー駆動制御部７２Ａ、シャッター駆動制御部７３Ａ、および絞り駆動制御部７６Ａを備えている。
【００５１】
撮像素子１０１は、先に説明した通りＣＭＯＳカラーエリアセンサからなり、後述のタイミング制御回路５１により、当該撮像素子１０１の露光動作の開始（および終了）、撮像素子１０１が備える各画素の出力選択、および画素信号の読出し等の撮像動作が制御される。
【００５２】
ＡＦＥ５は、撮像素子１０１に対して所定の動作を行わせるタイミングパルスを与えるとともに、撮像素子１０１から出力される画像信号に所定の信号処理を施し、デジタル信号に変換して画像処理部６１に出力する機能を有している。このＡＦＥ５は、タイミング制御回路５１、信号処理部５２およびＡ／Ｄ変換部５３などを備えて構成されている。
【００５３】
タイミング制御回路５１は、メイン制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２およびＡ／Ｄ変換部５３にそれぞれ出力することにより、信号処理部５２およびＡ／Ｄ変換部５３の動作を制御する。
【００５４】
信号処理部５２は、撮像素子１０１から出力されるアナログの画像信号に所定のアナログ信号処理を施すものである。この信号処理部５２には、ＣＤＳ（相関二重サンプリング）回路、ＡＧＣ（オートゲインコントロール）回路およびクランプ回路等が備えられている。Ａ／Ｄ変換部５３は、信号処理部５２から出力されたアナログのＲ、Ｇ、Ｂの画像信号を、タイミング制御回路５１から出力されるタイミングパルスに基づいて、複数のビット（例えば１２ビット）からなるデジタルの画像信号に変換するものである。
【００５５】
画像処理部６１は、ＡＦＥ５から出力される画像データに所定の信号処理を行って画像ファイルを作成するもので、黒レベル補正回路６１１、ホワイトバランス制御回路６１２およびガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００５６】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００５７】
ホワイトバランス制御回路６１２は、光源に応じた白の基準に基づいて、Ｒ(赤)、Ｇ(緑)、Ｂ(青)各色成分のデジタル信号のレベル変換（ホワイトバランス(ＷＢ)調整）を行う。具体的には、ホワイトバランス制御回路６１２は、メイン制御部６２から与えられるＷＢ調整データに基づき、輝度または彩度データ等から撮影被写体において本来白色であると推定される部分を特定し、その部分のＲ、Ｇ、Ｂそれぞれの色成分の平均と、Ｇ／Ｒ比およびＧ／Ｂ比とを求め、これをＲ、Ｂの補正ゲインとしてレベル補正する。
【００５８】
ガンマ補正回路６１３は、ＷＢ調整された画像データの階調特性を補正するものである。具体的には、ガンマ補正回路６１３は、予め設定されたガンマ補正用テーブルを用いて、画像データのレベルを色成分毎に非線形変換するとともにオフセット調整を行う。
【００５９】
画像メモリ６１４は、撮影モード時には、画像処理部６１から出力される画像データを一時的に記憶するとともに、この画像データに対しメイン制御部６２により所定の処理を行うための作業領域として用いられるメモリである。また、再生モード時には、メモリカード６７から読み出した画像データを一時的に記憶する。
【００６０】
メイン制御部６２は、例えば制御プログラムを記憶するＲＯＭおよび一時的にデータを記憶するＲＡＭ等の記憶部が内蔵されたマイクロコンピュータからなり、撮像装置１各部の動作を制御するものである。
【００６１】
フラッシュ回路６３は、フラッシュ撮影モードにおいて、フラッシュ部３１８または接続端子部３１９に接続される外部フラッシュの発光量を、メイン制御部６２により設定された発光量に制御するものである。
【００６２】
操作部６４は、上述のモード設定ダイアル３０５、制御値設定ダイアル３０６、シャッターボタン３０７、設定ボタン群３１２、方向選択キー３１４、プッシュボタン３１５、およびメインスイッチ３１７等を含み、操作情報をメイン制御部６２に入力するためのものである。
【００６３】
ＶＲＡＭ６５は、ＬＣＤ３１１の画素数に対応した画像信号の記憶容量を有し、メイン制御部６２とＬＣＤ３１１との間のバッファメモリである。カードＩ／Ｆ６６は、メモリカード６７とメイン制御部６２との間で信号の送受信を可能とするためのインターフェースである。メモリカード６７は、メイン制御部６２で生成された画像データを保存する記録媒体である。通信用Ｉ／Ｆ６８は、パーソナルコンピュータまたはその他の外部機器に対する画像データ等の伝送を可能とするためのインターフェースである。
【００６４】
電源回路６９は、例えば定電圧回路等からなり、メイン制御部６２等の制御部、撮像素子１０１、その他の各種駆動部等、撮像装置１全体を駆動させるための電圧を生成する。なお、撮像素子１０１への通電制御は、メイン制御部６２から電源回路６９に与えられる制御信号により行われる。電池６９Ｂは、アルカリ乾電池等の一次電池、またはニッケル水素充電池等の二次電池からなり、撮像装置１全体に電力を供給する電源である。
【００６５】
ミラー駆動制御部７２Ａは、撮影動作のタイミングに合わせて、ミラー駆動アクチュエータ７２Ｍを駆動させる駆動信号を生成するものである。ミラー駆動アクチュエータ７２Ｍは、ミラー部１０３（クイックリターンミラー）を、水平姿勢若しくは傾斜姿勢に回動させるアクチュエータである。
【００６６】
シャッター駆動制御部７３Ａは、メイン制御部６２から与えられる制御信号に基づき、シャッター駆動アクチュエータ７３Ｍに対する駆動制御信号を生成するものである。シャッター駆動アクチュエータ７３Ｍは、シャッターユニット４０の開閉駆動を行うアクチュエータである。
【００６７】
絞り駆動制御部７６Ａは、メイン制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００６８】
＜撮像装置１の動作＞
次に、撮像装置１の動作について説明する。図６および図７は、撮像装置１の撮影動作のフローチャートである。
【００６９】
撮像装置１のモード設定ダイアル３０５を用いたダイアル操作によって、撮影モードが選択された場合は、図６および図７に示す撮影動作が実行される。
【００７０】
図６に示されるように、まず、ステップＳＰ１では、表示切替スイッチ８５の操作またはファインダ窓３１６への接眼検知によって、ＥＶＦモードが選択されているか否かが判定される。ＥＶＦモードが選択されていないと判定されると、ステップＳＰ２０（図７）へ移行し、ＯＶＦモードにおける構図決め動作が実行可能となる。ステップＳＰ２０以降の各工程については後述する。
【００７１】
一方、ＥＶＦモードが選択されていると判定されると、ステップＳＰ２へ移行し、ＥＶＦモードにおける構図決め動作が実行可能となる。
【００７２】
具体的には、ステップＳＰ２では、ミラー部１０３が駆動され、ミラー部１０３は、交換レンズ２を通過する被写体光の光路から退避した状態となる。
【００７３】
ステップＳＰ３では、シャッターユニット４０が開状態にされ、ステップＳＰ４では、撮像素子１０１が起動され、露光によって画像信号を生成可能な状態とされる。
【００７４】
ステップＳＰ５では、ＬＣＤ３１１への給電が開始され、撮像素子１０１によって順次に生成される画像信号に基づいて、ＬＣＤ３１１にてライブビュー表示が開始される。
【００７５】
ステップＳＰ６では、光学ファインダが構図決め操作に利用されているか否かが判定される。具体的には、接眼検知センサ３２０によってファインダ窓３１６への接眼が検知されているか否かが判定される。接眼が検知されている（接眼状態であると判定される）場合は、ステップＳＰ１１へと移行し、ＥＶＦモードからＯＶＦモードへとモードが変更（遷移）される。詳細は、後述する。
【００７６】
一方、接眼が検知されていない（非接眼状態であると判定される）場合は、ステップＳＰ８へと移行する。
【００７７】
ステップＳＰ８では、シャッターボタン３０７が半押し状態であるか否かが検出される。半押し状態が検出されない場合は、ステップＳＰ６に移行し、再びステップＳＰ６の処理が実行される。また、半押し状態が検出されると、ステップＳＰ９に移行する。
【００７８】
ステップＳＰ９では、シャッターボタン３０７が全押し状態であるか否かが検出される。全押し状態が検出されない場合は、ステップＳＰ６に移行し、再びステップＳＰ６の処理が実行される。また、全押し状態が検出されると、ステップＳＰ１０に移行する。
【００７９】
ステップＳＰ１０では、撮影（露光）が行われる。具体的には、被写体光が撮像素子１０１に入射されるミラーアップ状態で、撮像素子１０１による露光が開始される。そして、撮像素子１０１により取得された画像信号に所定の画像処理が施されてメモリカード６７等に記録される。
【００８０】
ステップＳＰ１０の工程が終了すると、ステップＳＰ１へと移行し再びステップＳＰ１の処理が実行される。
【００８１】
次に、ステップＳＰ６（図６）において、ファインダ窓３１６への接眼が検知されていると判定された場合の処理について説明する。
【００８２】
この場合は、ステップＳＰ１１へと移行し、ＯＶＦモードへとモード遷移する。
【００８３】
具体的には、ステップＳＰ１１では、ミラー部１０３が駆動され、ミラー部１０３は、被写体光の光路に配置された状態となる。
【００８４】
次のステップＳＰ１２では、シャッターユニット４０が閉状態にされるとともに、ステップＳＰ１３では、撮像素子１０１が停止される。そして、ステップＳＰ１４では、ＬＣＤ３１１がオフされ、ステップＳＰ２４へと移行する。
【００８５】
ステップＳＰ２４への移行後に、接眼状態が解消（解除）される（非接眼状態になる）とステップＳＰ２へと移行し（ステップＳＰ２２）、ＯＶＦモードからＥＶＦモードへと遷移する（後述）。
【００８６】
このように、ＥＶＦモードにおいて接眼が検知されると、ＥＶＦモードからＯＶＦモードへとモード遷移する。そして、非接眼状態になるとＥＶＦモードへと復帰する。
【００８７】
次に、ステップＳＰ１において、表示切替スイッチ８５の操作またはファインダ窓３１６への接眼検知によって、ＥＶＦモードが選択されていない（ＯＶＦモードが選択されている）と判定され、ステップＳＰ２０（図７）へ移行した場合について説明する。
【００８８】
この場合、まず、ステップＳＰ２０では、表示切替スイッチ８５の接点位置が検出される。具体的には、表示切替スイッチ８５がＯＶＦモードに設定されているか否かが判定される。ＯＶＦモードに設定されている（接点位置が「光学」である）場合は、ステップＳＰ２１へ移行し、ＥＶＦモードに設定されている（接点位置が「モニタ」である）場合は、ステップＳＰ２２へと移行する。
【００８９】
ステップＳＰ２１では、接眼非検知でＯＶＦモードからＥＶＦモードに遷移させる設定（「自動遷移設定」とも称する）が選択（有効化）されているか否かが判定される。自動遷移設定が選択されていた場合は、ステップＳＰ２２へ移行し、自動遷移設定が選択されていなかった場合は、ステップＳＰ２３へと移行する。
【００９０】
なお、自動遷移設定は、接眼非検知でＯＶＦモードからＥＶＦモードへの遷移を自動的に実行させない非遷移設定であるとも表現される。
【００９１】
なお、自動遷移設定の有効化は、図８に示すようなメニュー画面ＭＧ１において行われる。具体的には、メニュー画面ＭＧ１上において、方向選択キー３１４等を操作して設定項目として「非接眼時にＬＶ」ＫＭ１を選択し、さらに「許可」欄ＫＭ２を選択することによって、自動遷移設定は有効化される。
【００９２】
ステップＳＰ２２では、上述のステップＳＰ６と同様に、接眼検知の有無が判定される。接眼が検知されない場合は、ステップＳＰ２に移行し、ＯＶＦモードからＥＶＦモードへとモード遷移する。一方、接眼が検知される場合は、ステップＳＰ２３に移行する。
【００９３】
ステップＳＰ２３では、ミラー部１０３が駆動され、ミラー部１０３は、被写体光の光路上に配置された状態となる。
【００９４】
次のステップＳＰ２４では、上述のステップＳＰ８と同様に、シャッターボタン３０７が半押し状態であるか否かが検出される。半押し状態が検出されない場合は、ステップＳＰ２０に移行し、再びステップＳＰ２０の処理が実行される。一方、半押し状態が検出されると、ステップＳＰ２５に移行する。
【００９５】
ステップＳＰ２５では、位相差ＡＦモジュール１０７を用いて位相差検出方式による焦点調節（位相差ＡＦ制御）が行われる。
【００９６】
次のステップＳＰ２６では、シャッターボタン３０７の半押し状態が解除されたか否かが検出される。半押し状態の解除が検出されると、ステップＳＰ２０へと移行し、再びステップＳＰ２０の処理が実行される。一方、半押し状態の解除が検出されなければ、ステップＳＰ２７へと移行する。
【００９７】
ステップＳＰ２７では、上述のステップＳＰ９と同様に、シャッターボタン３０７が全押し状態であるか否かが検出される。シャッターボタン３０７の全押し状態が検出されない場合は、ステップＳＰ２６へと移行し、再びステップＳＰ２６の処理が実行される。一方、シャッターボタン３０７の全押し状態が検出されると、上述のステップＳＰ１０へと移行し撮影が行われる。
【００９８】
このように、ＯＶＦモードにおいて接眼が検知されない場合は、原則として、ＯＶＦモードからＥＶＦモードへとモード遷移する。そして、接眼状態になるとＯＶＦモードへと復帰する。ただし、表示切替スイッチ８５がＯＶＦモードに設定されている状態で、自動遷移設定が有効化されていないときは、接眼検知に応じてモード遷移することなく、ＯＶＦモードが継続される。
【００９９】
以上のように、撮像装置１は、被写体光をファインダ窓３１６に導く第１の光路と、被写体光を撮像素子１０１に導く第２の光路との切替を行う光路切替手段と、ファインダ窓３１６への接眼を検知する接眼検知センサ３２０とを備え、接眼検知センサ３２０によって接眼が検知される場合は、第１の光路を選択して被写体光をファインダ窓３１６に導く第１制御を実行する一方、接眼検知センサ３２０によって接眼が検知されない場合は、第２光路を選択してプレビュー表示を行わせる第２制御を実行する。これによれば、接眼検知に応じて電子ファインダと光学ファインダとの使用切換を簡単に行うことが可能となる。また、表示切替スイッチ８５を用いた手動による切替の煩わしさを低減させることができる。
【０１００】
また、撮像装置１は、撮像装置１上に設けられている操作部材を用いた如何なる操作を介することなく、接眼の検知または非検知に応じて電子ファインダと光学ファインダとの使用切替を行う。これによれば、ＥＶＦモードとＯＶＦモードとの迅速な切替（モード遷移）が実現されるので、シャッターチャンスを逃すことなく、所望の構図決め操作によって撮影することが可能となる。
【０１０１】
また、撮像装置１は、第２制御を自動的に実行しない非遷移設定（不実行モード）を有効化するか否かを設定する設定手段を備えており、非遷移設定が有効化されている状況では、接眼検知センサ３２０によって接眼が検知されない場合でも、第１制御が実行される。これによれば、ユーザは、接眼検知に応じて電子ファインダと光学ファインダとの使用切換を行うか否かを選択することができる。
【図面の簡単な説明】
【０１０２】
【図１】本発明の実施形態に係る撮像装置の外観構成を示す図である。
【図２】本発明の実施形態に係る撮像装置の外観構成を示す図である。
【図３】撮像装置の縦断面図である。
【図４】撮像装置の縦断面図である。
【図５】撮像装置の電気的な構成を示すブロック図である。
【図６】撮像装置の撮影動作のフローチャートである。
【図７】撮像装置の撮影動作のフローチャートである。
【図８】メニュー画面の一例を示す図である。
【符号の説明】
【０１０３】
１  撮像装置
２  交換レンズ
１０  カメラボディ
８５  表示切替スイッチ
１０１  撮像素子
１０２  ファインダ部
１０３  ミラー部
３１１  ＬＣＤ
３２０  接眼検知センサ
７２Ａ  ミラー駆動制御部
【図１】
0004910989.tif 000002
【図２】
0004910989.tif 000003
【図３】
0004910989.tif 000004
【図４】
0004910989.tif 000005
【図５】
0004910989.tif 000006
【図６】
0004910989.tif 000007
【図７】
0004910989.tif 000008
【図８】
0004910989.tif 000009